(57)【特許請求の範囲】
【請求項１】
外表面が蛇腹状を呈する配管カバーの端部の蛇腹部分に連続して、あるいは一部にでも重ね合わせることで連続した蛇腹状を呈するように外表面は蛇腹状に形成されていて、配管カバー相互の接続部位に跨って覆う断面でほぼ溝形状の固定具本体と、この固定具本体の開口端縁夫々に、外方に突出させて対称的に設けた取付片とから成り、前記配管カバーは、切割部を有する蛇腹部を備え、切割部は、蛇腹部の一部を配管カバーの前後方向に沿って所定幅員で平坦化し、この平坦部分に、蛇腹部の外方に突出するようにした断面でコ字状を呈する細溝状の切開突部を突設し、この切開突部の奥底部外側面に切開案内溝を形成してあることを特徴とする可撓性配管カバー用接続固定具。
【請求項２】
固定具本体の開口端縁には補強縁を形成してある請求項１に記載の可撓性配管カバー用接続固定具。
【請求項３】
配管カバーは、伸縮、撓曲自在な蛇腹部の一側面に形成した切割部によって開閉自在になっていて、この開放させた切割部の左右部分に跨って撓曲自在な閉塞帯を着脱自在に配装して成る請求項１または２に記載の可撓性配管カバー用接続固定具。
【請求項４】
配管カバーの前後部には、外径ないし外形幅員が少なくとも肉厚分の段差の相違が設定されていて、段差部位で切断可能にしてある適数の段状に形成した接続部を一体にして設けてある請求項１または３に記載の可撓性配管カバー用接続固定具。
【請求項５】
閉塞帯は、切離されている切割部の端縁面夫々に左右側面が当接する閉塞帯片に、切割部の内側面に当接するよう左右に張り出し状にして閉塞帯片自体の上部に突設した内側当接部片と、同じく切割部の外側面に当接するよう閉塞帯片の下部に左右で突設した外側当接部片とを一体状にして形成してある請求項３に記載の可撓性配管カバー用接続固定具。
【請求項６】
外側当接部片は、切割部における切離された切開突部左右における断面でＬ字状部分夫々を抱持するような断面でほぼ逆Ｌ字状を呈している請求項５に記載の可撓性配管カバー用接続固定具。
【請求項７】
外側当接部片の外側面にはこの外側当接部片ないし閉塞帯片から切り離し自在にされる帯状のスライド操作片を連設してある請求項５または６に記載の可撓性配管カバー用接続固定具。
【発明の詳細な説明】
【０００１】
【発明の属する技術分野】
本発明は例えば一般家屋において設置使用される内外セパレート型のエアコン装置の室外機、室内機相互間において、冷媒、ドレン水等の供給、排出、排水等を行うために配管される各種の配管類を保護覆うようにした可撓性ある蛇腹状の配管カバーを複数連で連続させて接続するとき、それらの接続部位を体裁よく覆うことができ、またその接続部位に密着状に装着して配管カバー相互間の分離、解体等を不能にして、配管類の敷設設置面に固定できるようにした可撓性配管カバー用接続固定具に関するものである。
【０００２】
【従来の技術】
従来から例えば内外セパレート型のエアコン装置においての室外機、室内機相互間を接続する各種の配管類は、そのままの露出状態であると外部からの衝撃その他によって破損、破断されることがあるから、それを防止すべく配管カバー等によって覆われ、収納されることで保護されるものとなっている。このときの配管カバーは配管類の配管形態、径の大小その他によって形状、大きさ等の形態が種々に異なるものとして予め各別に用意されているも、これらとは別に既設の配管類にも装着可能にした後付け式の蛇腹式の伸縮する配管カバーが提案されている。すなわち伸縮、撓曲自在で、一側面に形成した切割部によって開閉自在になっている固定具本体と、この固定具本体における開放させた切割部の左右部分に跨って着脱自在に配装される撓曲自在な閉塞帯とを備えて成るものである。
【０００３】
これによると、例えばエアコン装置における各種の配管類を貫挿させる躯体壁の内外面で折曲配管して接続するとき、またその配管経路中で直線的に配管して接続するとき等の種々な形態、径の大小等が異なる場合でも、これらの配管類をその側方から覆うように装着できるのである。しかも配管類の角度・方向・曲がり形態その他が異なっていても、更には配管類に径の大小等があっても、これらに対応して接続使用でき、また新設時に接続使用可能とするのは勿論のこと、既設のものであってもこれに対応して、その接続部位に直接にセットでき、取り扱い性に優れたものとできたのである。
【０００４】
【発明が解決しようとする課題】
しかしてこうした先に提案の配管カバーにあっては、長大な配管類の全体を覆うとするとき、複数のものを相互に連結構成する必要があるも、その連結に際し蛇腹部分相互を直接に接続できないから、配管カバーの端部に形成してある内外で二重となっている段差部分を利用し、いずれか一方の小形部分を他方の大形部分の内方に嵌め入れることで結合している。
【０００５】
ところがこの配管カバー自体は全体の外側面が蛇腹状の凹凸模様となっているにもかかわらず、接続部分では平坦面となっているから、全体的に見ても外観的な体裁が見苦しく、これらはいずれも建物の内外で露出されているから建物自体の外観をも損なうものとなってしまうのである。そればかりでなく例えば壁面等に沿って敷設されている場合に、所定間隔毎に固定バンド等を使用して壁面等に固定しているも、その固定バンド自体は平坦面の外観を備えているから、これによって止めた場合には同様に敷設された配管類の全体的な意匠においても外観的な体裁が損なわれることに違いはなかった。
【０００６】
そこで本発明は叙上のような従来存した諸事情に鑑み創出されたもので、例えば空調機器の設置に際し配管敷設される各種の配管類を保護すべくこれを覆って収納する蛇腹状の配管カバー相互が連続して配装されるとき、それらの接続部分を配管カバーと同様な外観体裁のものとして接続固定し、また壁面その他の配管敷設面に確実に固定設置できるようにした可撓性配管カバー用接続固定具を提供することを目的とする。
【０００７】
【課題を解決するための手段】
上述した課題を解決するため、本発明にあっては、外表面が蛇腹状を呈する配管カバー１１の端部の蛇腹部分に連続して、あるいは一部にでも重ね合わせることで連続した蛇腹状を呈するように外表面は蛇腹状に形成されていて、配管カバー１１相互の接続部位に跨って覆う断面でほぼ溝形状の固定具本体１と、この固定具本体１の開口端縁夫々に、外方に突出させて対称的に設けた取付片３とから成るものである。
固定具本体１の開口端縁には補強縁２を形成することができる。
また配管カバー１１は、伸縮、撓曲自在な蛇腹部１２の一側面に形成した切割部３によって開閉自在になっていて、この開放させた切割部３の左右部分に跨って撓曲自在な閉塞帯２０を着脱自在に配装して成るものである。
すなわち配管カバー１１は、切割部１３を有する蛇腹部１２を備え、切割部１３は、蛇腹部１２の一部を配管カバー１１の前後方向に沿って所定幅員で平坦化し、この平坦部分に、蛇腹部１２の外方に突出するようにした断面でコ字状を呈する細溝状の切開突部１５を突設し、この切開突部１５の奥底部外側面に切開案内溝１６を形成することで設けることができる。
また配管カバー１１の前後部には、外径ないし外形幅員が少なくとも肉厚分の段差の相違が設定されていて、段差部位で切断可能にしてある適数の段状に形成した接続部１７を一体にして設けることができる。
閉塞帯２０は、切離されている切割部１３の端縁面夫々に左右側面が当接する閉塞帯片２１に、切割部１３の内側面に当接するよう左右に張り出し状にして閉塞帯片２１自体の下部に突設した内側当接部片２２と、同じく切割部１３の外側面に当接するよう閉塞帯片２１の上部に左右で突設した外側当接部片２３とを一体状にして形成することができる。
外側当接部片２３は、切割部１３における切離された切開突部１５左右における断面でＬ字状部分夫々を抱持するような断面でほぼ逆Ｌ字状を呈して形成でき、また外側当接部片２３の外側面にはこの外側当接部片２３ないし閉塞帯片２１から切り離し自在にされる帯状のスライド操作片２５を連設することができる。
【０００８】
以上のように構成された本発明に係る可撓性配管カバー用接続固定具にあって、外表面が蛇腹状を呈する配管カバー１１相互の接続部位に固定具本体１によって装着されることで、その接続部位の外表面を凹凸の蛇腹状の体裁で化粧して一体的に覆い、また取付片３によって配管カバー１１を介してしっかりと敷設配管面に配管類Ｐを固定保持させる。
固定具本体１は配管カバー１１の端部に連続してあるいはその一部に重なり状となることで配管カバー１１に対する装着を確実にさせ、取付片３による敷設配管面に対する固定と相俟ち、配管カバー１１の脱落を阻止させ、補強縁２は配管カバー１１における蛇腹状形態を保形させる。
また切離自在な切割部１３によって開閉される配管カバー１１は、例えばエアコン装置に関連して設置される各種の配管類Ｐを覆って連続して配置され、切割部１３の左右部分に跨る閉塞帯２０によって側面で開放されている配管カバー１１を閉塞させると共に、蛇腹部１２の撓曲性によって配管接続態様が種々に異なる配管類Ｐの曲がり・直線の有無、方向・角度、径の大小等に対応させる。
配管カバー１１における切割部１３は、その切開突部１５の切開案内溝１６によって案内切断される例えばカッター刃等によって簡単に切り離し、配管カバー１１自体を開放させ、既設、新設を問わず配管類Ｐを保護すべく覆うことでその側方からも直接に装着させる。
このとき肉厚分の段差の相違が設定されて形成されている接続部１７は、複数で連続配置する配管カバー１１相互を体裁よく接続させ、蛇腹部１２による撓曲自在性と相俟って任意な方向で曲げられ、また直線的に配置される種々な配管類Ｐの配管態様に柔軟に対応させる。
閉塞帯片２１の下部では内側当接部片２２が、上部では外側当接部片２３が夫々で設けられた閉塞帯２０は、この閉塞帯２０の端縁にて切割部１３の端縁に嵌め合わせスライドさせることで、内側当接部片２２、外側当接部片２３による空隙内に切割部１３の接離されている左右部分を接合させ、開放されている切割部１３を閉塞し、また蛇腹部１２による撓曲作用に追随し、撓曲方向を問わずに配管カバー１１相互の接続部位における種々な方向の曲がり等に対応させる。
閉塞帯２０に一体形成のスライド操作片２５は、切割部１３に嵌め合わせた閉塞帯２０自体を牽引スライドさせ、装着終了後では切り離すことで得られる一層の撓曲性によって配管カバー１１のいずれの方向への曲がりその他にも十分に対応可能にさせる。
【０００９】
【発明の実施の形態】
以下図面を参照して本発明の一実施の形態を説明すると、図において示される符号１は、例えば空調機器においての保護すべき冷媒、ドレン水用の配管類Ｐを保護収納する配管カバー１１相互の接続部位に装着される固定具本体であり、この固定具本体１は、外表面が蛇腹状を呈する配管カバー１１の端部の蛇腹部分に連続して、あるいは一部にでも重ね合わせることで連続した蛇腹状を呈するように外表面は蛇腹状に形成されている。
【００１０】
また固定具本体１自体は配管カバー１１相互の接続部位を側方から跨って直接に覆うように、接続部位の外形に沿うような断面でほぼ溝形状に形成され、その蛇腹形態は固定具本体１の長さ方向に沿ったものとしてあり、固定具本体１の開口端縁に形成した補強縁２によって蛇腹部分は伸縮しないようにその形態が維持されたままとなるようにしてある。
【００１１】
固定具本体１の開口端縁夫々には、外方に突出させた取付片３が対称的に設けられており、この取付片３には例えば配管類Ｐを敷設配管させる壁面等に固定具本体１を固着させる止めネジ５を貫挿させる貫挿孔を予め開穿形成してある。
【００１２】
ここで配管カバー１１につき説明すると、この配管カバー１１自体は、配管類Ｐの配管形態に対応させるべく伸縮、撓曲自在となるように連続凹凸状の蛇腹部１２を備え、配管類Ｐを収納するに足りる容量を備えた筒状に形成されていると共に（図４参照）、筒方向に沿った前後端の間で設けられた切開可能な切割部１３によって左右に開閉分離されるようにしてある。この配管カバー１１自体の長さは例えば１８０〜２００ｃｍ程度の長さに設定されており、配管類Ｐ全体を覆うようにされるも、場合によっては配管の曲がり部分のみに使用されたり、適当な必要長さで切断使用されたりする（図３参照）。
【００１３】
蛇腹部１２は、配管カバー１１自体の前後で適宜深さに設定した連続する凹凸波形状に形成されており、凹凸夫々の幅員が縮小されることで曲がりの内側となり、逆に幅員が拡張することで曲がりの外側となるようになっている。なおこの蛇腹部１２の凹凸波形形状は夫々が独立したものとしたり、螺旋状になるように１本状のものとしたり等、いずれであってもよいものである。
【００１４】
図示にあっての配管カバー１１自体は断面で基本的にほぼ矩形状を呈するように成形されており、その一側面における蛇腹部１２部位で切割部１３が形成されている。この切割部１３自体は、蛇腹部１２における一部の側面を配管カバー１１の前後端の間で蛇腹となる凹凸面を設けずに所定幅員で平坦面状に形成すると共に、この平坦部分に、配管カバー１１の外方に突出するようにした断面でコ字状を呈する細溝状の切開突部１５を突設し、この切開突部１５の奥底部外側面に例えば断面でＶ字状の切開案内溝１６を形成することで設けられている（図５（Ａ）参照）。すなわちこの切割部１３は、切開案内溝１６内に挿入、案内される適当なカッター刃（図示せず）によって切開突部１５が左右に切離されることで配管カバー１１自体をその側部面で開放させるのであり、切離開放されたときの切開突部１５の左右部分は断面でほぼＬ字状を呈して、平坦面の外方に突出されている。なお場合によっては配管カバー１１自体は、切割部１３にて当初から開閉可能に左右に分離されていることもある。
【００１５】
また配管カバー１１の前後部は、他の配管カバー１１に接続させるよう、外径ないし外形幅員が少なくとも肉厚分の段差の相違を設定して適数の段状に形成した接続部１７を一体にして設けてあり、この接続部１７にも、蛇腹部１２に形成した切割部１３に連続するようにした同様な切割部１３を設けてある。図示にあっての接続部１７は異径あるいは幅員が異なるようにして前後に連続させた２段構成のものとしてあり、配管カバー１１の中心側に位置する大径ないし大形の接続部分の内径ないし内法幅員が端部側に位置する小径ないし小形の接続部分の外径ないし外法幅員に比し小さくはないものとしてある。すなわち配管カバー１１の前後の接続部１７のいずれか一方における小径等の接続部分を段差部位にて切断除去し、他の配管カバー１１における大径等の接続部分内に嵌め入れることで、複数の配管カバー１１を接続部１７を介して順次に相互に接続可能なものとするのである。
【００１６】
一方、切離状態とされて配管カバー１１を開閉させる切割部１３を閉塞するときの閉塞状態を維持するよう、切割部１３における左右部分に跨るようにした閉塞用の帯状の可撓性ある閉塞帯２０が別に用意されている。この閉塞帯２０は、切離されて端縁同士が突き合わせ状態とされている切割部１３を閉塞し、配管カバー１１を開放不能にすると同時に、撓曲される配管カバー１１の撓曲状態に対応追随して撓曲されるものとしてある。図示のように閉塞帯２０自体は、突き合わせられるよう切離されている切割部１３の端縁面夫々に左右側面が当接する閉塞帯片２１に、切割部１３の内側面に当接するよう左右に張り出し状にして閉塞帯片２１自体の下部に突設した内側当接部片２２と、切離された前記切開突部１５の左右の断面でＬ字状部分夫々を抱持するような断面でほぼ逆Ｌ字状を呈するよう閉塞帯片２１の上部に左右で突設した外側当接部片２３とを一体状に形成すると共に、外側当接部片２３の外側面にはこの外側当接部片２３ないし閉塞帯片２１から切り離し自在にされる帯状のスライド操作片２５を連設したものである。すなわち閉塞帯片２１、内側当接部片２２、外側当接部片２３等が一体となった断面形状は、角張ったほぼ「大」の字形状を呈し、外側当接部片２３内に抱持した切割部１３の左右部分と共に撓曲される柔軟性を備えており、またこの閉塞帯２０自体の長さは切割部１３の長さにほぼ対応している。
【００１７】
この閉塞帯２０における閉塞帯片２１左右に、左右の外側当接部片２３夫々によって形成される抱持空隙は、切離される切割部１３における切開突部１５の左右部分夫々に内側当接部片２２と共にほぼ密着させて収納するような容積、形状のものとしてある。ただこの閉塞帯２０自体を切割部１３全体に嵌め合わせるとき、閉塞帯２０の前後のいずれかの端縁を切割部１３の端縁に一旦は嵌め合わせた後にスライド可能な余裕分が適当に設定されていることが望ましい。
【００１８】
またスライド操作片２５は、これの基部においていずれかの側面で図示のように断面でほぼＶ字形を呈する切離溝２６が形成されていて、この切離溝２６に沿って切り入れられるカッター刃あるいはスライド操作片２５自体を挟み込んで強制的にでも切り離すことによって外側当接部片２３ないし閉塞帯片２１から切断分離されるようになっている（図５（Ｂ）参照）。
【００１９】
次にこれの使用の一例を説明するに、例えば内外セパレータ型のエアコン装置における室外機、室内機相互間で例えば建造物躯体壁の貫挿部位において配管される各種の配管類Ｐを保護すべく、それを収納して敷設設置された配管カバー１１相互を接続させるに際し、その接続部位に固定具本体１を覆うように装着し、取付片３に貫挿した止めネジ５によって建造物躯体壁面に固定保持するのである。このとき配管カバー１１同士はその接続部１７の段差を利用して相互に嵌め合わせると共に、端部の蛇腹部１２の一部なりとも固定具本体１によって噛み合わせ状に覆うことで接続状態を一層確実なものとさせておくとよい（図２参照）。
【００２０】
あるいは既設の配管類Ｐであると、切離した切割部１３によって開放状態とした配管カバー１１自体によって配管カバー１１の接続部位で配管類Ｐの側方から被せることで覆い、その後に閉塞帯２０を左右に分離している切割部１３の左右部分夫々に、内側当接部片２２、外側当接部片２３による空隙部分によって嵌め合わせ（図３参照）、スライド操作片２５を手指、所定の狭持具等によって挟み、切割部１３に沿って閉塞帯２０自体をスライドさせることで配管カバー１１を閉塞する（図１、図３、図５（Ｂ）参照）。次いで配管カバー１１の蛇腹部１２の撓曲自在性を利用して配管カバー１１の接続部位における曲がり・方向その他に対応して伸縮させたり、曲げたりするのであり、更に必要であれば接続部１７によって複数の配管カバー１１を接続して配管類Ｐを覆って相互に接続するのである（図３参照）。
【００２１】
【発明の効果】
本発明は以上のように構成されているため、例えばエアコン装置における各種の配管類Ｐを収納保護する蛇腹状の外観を呈する配管カバー１１相互の接続部位において、体裁よく覆って接続固定できると共に、配管類Ｐを敷設配管させる壁面その他に確実に固定設置できるものである。
【００２２】
すなわちこれは本発明において、外表面が蛇腹状を呈する配管カバー１１の端部に連続して蛇腹状を呈するようにして配管カバー１１相互の接続部位を覆う固定具本体１の開口端縁夫々に取付片３を設けたからであり、これによって、配管類Ｐを保護収納するカバー全体が蛇腹状の良好な外観体裁となり、また配管敷設面にしっかりと固定保持できるのである。
【００２３】
また固定具本体１は配管カバー１１の端部に連続してあるいはその一部に重なり状となることで、蛇腹状の固定具本体１自体が配管カバー１１の蛇腹部１２に連続的に重なり合い、固定具本体１の前後方向に配管カバー１１を移動させずに確実に保持固定するのであり、しかも配管カバー１１に対する覆ったままの装着状態で、取付片３によって敷設配管面に固定するから、配管カバー１１相互の接続を一層確実にし、配管カバー１１等が敷設配管面から離反させられることなくその脱落を阻止できるのである。
【００２４】
配管カバー１１における蛇腹部１２の切割部１３は、蛇腹部１２の一部を配管カバー１１の前後方向に沿って所定幅員で平坦化し、その平坦化の部分に、配管カバー１１の外方に突出する断面でコ字状を呈する細溝状の切開突部１５を突設し、この切開突部１５の奥底部外側面に切開案内溝１６を形成することで設けてあるから、その切開突部１５の切開案内溝１６によって案内切断される例えばカッター刃等によって簡単に配管カバー１１自体を開放状に切り離しでき、側方で開放させた配管カバー１１自体は、既設のもの、新設のものを問わず保護収納すべき配管類Ｐにその側方から直接に配置装着でき、作業の迅速化に大きく役立つものである。
【００２５】
配管カバー１１の前後部には、肉厚分の段差の相違が設定されて接続部１７を形成してあるから、その段差部位で切断することで連続して配管カバー１１を配置するときに、接続部１７相互の嵌め合いによって複数の配管カバー１１を体裁よく接続して連続配置でき、蛇腹部１２による撓曲自在性と相俟って任意な方向で種々な角度で曲げて配装でき、種々な配管態様に対応する配管類Ｐの保護に柔軟に対応させることができる。
【００２６】
一方、閉塞帯２０は、切離される切割部１３の端縁面夫々に左右側面が当接する閉塞帯片２１の下部に切割部１３の内側面に当接するよう左右に張り出し状にして内側当接部片２２を突設し、同じく閉塞帯片２１の上部に切割部１３の外側面に当接するよう左右で外側当接部片２３を突設してあるから、閉塞帯２０の端縁にて切割部１３の端縁に嵌め合わせスライドさせることで、内側当接部片２２、外側当接部片２３による空隙内に切割部１３の接離されている左右部分をしっかりと接合させられ、開放されている切割部１３を閉塞できるのである。すなわち配管類Ｐにその側方から直接に被せるようにして開放状態の配管カバー１１によって覆うようにセットしても、配管カバー１１自体の開放部分は閉塞帯２０によって確実に閉塞できるのである。また配管カバー１１自体は蛇腹部１２によって伸縮、撓曲自在にしてあるから、配管類Ｐにおける曲がりの大小、方向その他に追随でき、撓曲方向を問わずに配管類Ｐの種々な方向の曲がり等に対応可能なものである。
【００２７】
更に閉塞帯２０には切り離し自在なスライド操作片２５を一体状にして連設してあるから、この閉塞帯２０自体を切割部１３に嵌め合わせた後に牽引スライドさせることで、開放状態にある切割部１３を閉塞連結でき、しかも連結装着終了後では切り離すことで閉塞帯２０自体に一層の撓曲性を付与でき、配管カバー１１がいずれの方向に曲がっていてもそれに十分に対応可能なものである。
【図面の簡単な説明】
【図１】本発明の一実施の形態における使用状態の斜視図である。
【図２】同じく縦断面図である。
【図３】同じく他の使用状態における一部省略の斜視図である。
【図４】同じく配管カバーの横断面図である。
【図５】同じく配管カバーの要部横断面図で、その（Ａ）は配管カバーの切割部を切離する前のものであり、その（Ｂ）は閉塞帯によって閉塞したときのものである。
【符号の説明】
Ｐ…配管類
１…固定具本体                        ２…補強縁
３…取付片                          ５…止めネジ
１１…配管カバー                    １２…蛇腹部
１３…切割部                        １５…切開突部
１６…切開案内溝                    １７…接続部
２０…閉塞帯                        ２１…閉塞帯片
２２…内側当接部片                  ２３…外側当接部片
２５…スライド操作片                ２６…切離溝
【図１】
0004691262.tif 000002
【図２】
0004691262.tif 000003
【図３】
0004691262.tif 000004
【図４】
0004691262.tif 000005
【図５】
0004691262.tif 000006